(57)【要約】【課題】コンテンツの保存を行っていないユーザに対するコンテンツの保存忘れを防止する。【解決手段】一時的に保存されたコンテンツの残存保存期間と、コンテンツの保存状態とを判定し、コンテンツの残存保存期間が規定された期間よりも短く、かつ、コンテンツが各ユーザ専用の記憶領域に保存されていないと判定された場合、上記コンテンツに対応するメールアドレス宛てにコンテンツの保存状態を通知するメールを送信する。【選択図】図１
2015111403.tif 000002
【特許請求の範囲】
【請求項１】
コンテンツ提供装置が生成した撮影画像であるコンテンツと、上記コンテンツ提供装置にて入力され上記コンテンツと対応付けられているメールアドレスとを受信する受信部と、
上記コンテンツと上記メールアドレスとを対応付けて一時保存部に一時的に保存させる実行部と、
上記一時保存部において、上記コンテンツの残存保存期間が所定の期間よりも短いか否かを判定する残存保存期間判定部と、
上記コンテンツが、各ユーザ専用の記憶領域に保存されたか否かを判定する保存状態判定部と、
上記残存保存期間判定部が、上記コンテンツの残存保存期間が上記所定の期間よりも短いと判定し、かつ、上記保存状態判定部が上記コンテンツが上記各ユーザ専用の記憶領域に保存されていないと判定した場合、上記コンテンツに対応する上記メールアドレス宛てに上記コンテンツの保存状態を通知するメールを送信する送信部とを備えていることを特徴とする管理装置。
【請求項２】
上記残存保存期間判定部が、上記コンテンツの残存保存期間が上記所定の期間よりも短いと判定し、かつ、上記保存状態判定部が上記コンテンツが上記各ユーザ専用の記憶領域に保存されていると判定した場合、上記送信部が上記コンテンツに対応する上記メールアドレス宛てに上記コンテンツの保存状態を通知するメールを送信しないことを特徴とする請求項１に記載の管理装置。
【請求項３】
上記受信部は、上記コンテンツと対応付けられている複数の上記メールアドレスを受信し、
上記保存状態判定部は、上記コンテンツと対応付けられている複数の上記メールアドレスのうち少なくとも１つに対応するユーザの通信端末の指示によって上記コンテンツが上記各ユーザ専用の記憶領域に保存されたか否かを判定し、
上記保存状態判定部が、複数の上記メールアドレスのうち少なくとも１つに対応するユーザの通信端末の指示によって上記コンテンツが上記各ユーザ専用の記憶領域に保存されたと判定した場合、上記送信部がいずれのメールアドレス宛てにも上記コンテンツの保存状態を通知するメールを送信しないことを特徴とする請求項１に記載の管理装置。
【請求項４】
上記受信部は、上記コンテンツと対応付けられている複数の上記メールアドレスを受信し、
上記保存状態判定部は、上記コンテンツと対応付けられている複数の上記メールアドレスに対応するそれぞれのユーザの通信端末からの指示によって上記コンテンツが上記各ユーザ専用の記憶領域に保存されたか否かを上記通信端末ごとに判定し、
上記送信部が上記コンテンツに対して保存を指示していない上記通信端末の上記メールアドレス宛てに上記コンテンツの保存状態を通知するメールを送信することを特徴とする請求項１に記載の管理装置。
【請求項５】
上記保存状態判定部が、さらに、上記コンテンツと対応付けられているメールアドレスの通信端末と異なる他の通信端末の指示によって上記コンテンツが上記各ユーザ専用の記憶領域に保存されたか否かを判定し、
上記保存状態判定部が、上記コンテンツと対応付けられているメールアドレスの通信端末と異なる他の通信端末の指示によって上記コンテンツが上記各ユーザ専用の記憶領域に保存されたと判定した場合、上記送信部が上記メールアドレス宛てに上記コンテンツの保存状態を通知するメールを送信しないことを特徴とする請求項１に記載の管理装置。
【請求項６】
上記受信部が上記コンテンツおよび当該コンテンツと同一プレイ内で生成された他のコンテンツを受信し、
上記実行部が上記コンテンツおよび上記他のコンテンツを上記一時保存部に一時的に保存し、
上記保存状態判定部が、上記他のコンテンツが上記各ユーザ専用の記憶領域に保存されていると判定した場合に、上記送信部が上記コンテンツと対応しているメールアドレス宛てに、上記コンテンツの保存状態を通知するメールを送信しないことを特徴とする請求項１に記載の管理装置。
【請求項７】
上記一時保存部に一時保存されている上記コンテンツを上記各ユーザ専用の記憶領域に保存する指示を外部機器から受け付けて、上記一時保存部に一時保存されている上記コンテンツを上記各ユーザ専用の記憶領域に保存するユーザ指示実行部をさらに備えることを特徴とする請求項１に記載の管理装置。
【請求項８】
上記送信部は、上記メールアドレスに対応するユーザの会員の種類に応じて、異なるメールを送信することを特徴とする請求項１に記載の管理装置。
【請求項９】
上記会員の種類は、有料会員、無料会員および非会員を含むことを特徴とする請求項８に記載の管理装置。
【請求項１０】
上記送信部は、上記ユーザの会員の種類が非会員である場合、会員に誘導するメールを送信し、上記ユーザの会員の種類が無料会員である場合、有料会員に誘導するメールを送信することを特徴とする請求項８に記載の管理装置。
【請求項１１】
ユーザが上記各ユーザ専用の記憶領域に保存する撮影画像の枚数に応じて、当該ユーザに対する課金額を決定する課金額決定部をさらに備えることを特徴とする請求項１に記載の管理装置。
【請求項１２】
コンテンツ提供装置が生成した撮影画像であるコンテンツと、上記コンテンツ提供装置にて入力され上記コンテンツと対応付けられているメールアドレスとを受信する受信ステップと、
上記コンテンツと上記メールアドレスとを対応付けて一時保存部に一時的に保存させる実行ステップと、
上記一時保存部において、上記コンテンツの残存保存期間が所定の期間よりも短いか否かを判定する残存保存期間判定ステップと、
上記コンテンツが、各ユーザ専用の記憶領域に保存されたか否かを判定する保存状態判定ステップと、
上記残存保存期間判定ステップにおいて、上記コンテンツの残存保存期間が上記所定の期間よりも短いと判定され、かつ、上記保存状態判定ステップにおいて上記コンテンツが上記各ユーザ専用の記憶領域に保存されていないと判定された場合、上記コンテンツに対応する上記メールアドレス宛てに上記コンテンツの保存状態を通知するメールを送信する送信ステップとを含むことを特徴とする管理装置の制御方法。
【発明の詳細な説明】
【技術分野】
【０００１】
本発明は、メールアドレスとコンテンツとを対応付けて記憶することでコンテンツを管理する管理装置、当該管理装置を含むメール送信システムおよび当該管理装置の制御方法に関する。
【背景技術】
【０００２】
従来、写真シール作成装置を利用してゲームしたユーザに写真シールを提供するだけでなく、撮影画像をユーザの通信端末に提供するサービスがある。
【０００３】
撮影画像をユーザの通信端末に提供するサービスは、一般的に、以下の順序で行われる。
【０００４】
写真シール作成装置は、ユーザによるメールアドレスの入力を受け付けて、当該メールアドレスと撮影画像とをサーバに送信する。
【０００５】
ユーザによって入力されたメールアドレスと撮影画像とを受信したサーバは、撮影画像を記憶し、撮影画像がサーバに届いたことを通知するメールを当該メールアドレス宛てに送信する。サーバに蓄積される撮影画像の増大によるサーバの容量不足を未然に防ぐため、撮影画像は一定期間保存されたのちに消去される。
【０００６】
サーバが送信した上記通知メールにはＵＲＬが示されており、ユーザが通信端末から当該ＵＲＬにアクセスすると撮影画像のサムネイルが当該通信端末に表示される。ユーザが会員登録者であれば、ユーザは上記サムネイルを選択することにより解像度の高い撮影画像を表示させることが可能であり、上述した一定期間の保存を行う記憶領域とは異なる各ユーザ専用の記憶領域（各ユーザの通信端末の記憶領域を含む）に当該撮影画像を保存することができる。
【０００７】
上述したように、サーバによって一時保存された撮影画像は、一定期間保存されたのちに消去される。
【０００８】
そのため、一定期間内にユーザが撮影画像を各ユーザ専用の記憶領域に保存することを忘れると、撮影画像がサーバから削除され、ユーザは当該撮影画像を閲覧することができなくなってしまう。
【０００９】
一方、特許文献１においては、オブジェクトの保存期限の管理、およびそのオブジェクトの保存期限が到来した場合の処理を自動的に行うことができるようにし、これにより操作者にとって真に不要なオブジェクトのみを削除することを目的とした期限切れオブジェクトの処理プログラムおよびシステムが開示されている。
【００１０】
詳細には、特許文献１に記載のシステムは、オブジェクトの属性として、そのオブジェクトのＩＤ、そのオブジェクトが登録されている登録場所、そのオブジェクトの保存期限およびそのオブジェクトの保存期限が到来した場合の処理を示すルールを記憶する属性記憶機能と、前記属性記憶機能によって記憶されている保存期限が到来した場合に、前記ルールに従って、そのオブジェクトを処理する期限切れ処理機能と、を有している。
【先行技術文献】
【特許文献】
【００１１】
【特許文献１】特開２００７−１０９１１５号公報（２００７年４月２８日公開）
【発明の概要】
【発明が解決しようとする課題】
【００１２】
特許文献１には、さらに、上記ルールとして保存期限が到来したことをメール等によって操作者に知らせることが開示されている。
【００１３】
上述のような従来技術においては、オブジェクトの保存期限が到来した時に、その旨を操作者に知らせる構成である。したがって、例えば、上記撮影画像を保存するサーバにおいて上述のような従来技術を適用した場合、撮影画像の保存期限が到来する前に、ユーザに対してメールを送信することができない。すなわち、撮影画像の保存忘れを防止することができないという問題が生じる。
【００１４】
本発明は上記の課題を解決するためになされたものである。そして、その目的は、撮影画像等のコンテンツの保存を行っていないユーザによるコンテンツの保存忘れを防止できる管理装置、メール送信システムおよび管理装置の制御方法を提供することにある。
【課題を解決するための手段】
【００１５】
上記の課題を解決するために、本発明に係る管理装置は、コンテンツ提供装置が生成した撮影画像であるコンテンツと、上記コンテンツ提供装置にて入力され上記コンテンツと対応付けられているメールアドレスとを受信する受信部と、上記コンテンツと上記メールアドレスとを対応付けて一時保存部に一時的に保存させる実行部と、上記一時保存部において、上記コンテンツの残存保存期間が所定の期間よりも短いか否かを判定する残存保存期間判定部と、上記コンテンツが、各ユーザ専用の記憶領域に保存されたか否かを判定する保存状態判定部と、上記残存保存期間判定部が、上記コンテンツの残存保存期間が上記所定の期間よりも短いと判定し、かつ、上記保存状態判定部が上記コンテンツが上記各ユーザ専用の記憶領域に保存されていないと判定した場合、上記コンテンツに対応する上記メールアドレス宛てに上記コンテンツの保存状態を通知するメールを送信する送信部とを備えている。
【００１６】
また、上記の課題を解決するために、本発明に係る管理装置の制御方法は、コンテンツ提供装置が生成した撮影画像であるコンテンツと、上記コンテンツ提供装置にて入力され上記コンテンツと対応付けられているメールアドレスとを受信する受信ステップと、上記コンテンツと上記メールアドレスとを対応付けて一時保存部に一時的に保存させる実行ステップと、上記一時保存部において、上記コンテンツの残存保存期間が所定の期間よりも短いか否かを判定する残存保存期間判定ステップと、上記コンテンツが、各ユーザ専用の記憶領域に保存されたか否かを判定する保存状態判定ステップと、上記残存保存期間判定ステップにおいて、上記コンテンツの残存保存期間が上記所定の期間よりも短いと判定され、かつ、上記保存状態判定ステップにおいて上記コンテンツが上記各ユーザ専用の記憶領域に保存されていないと判定された場合、上記コンテンツに対応する上記メールアドレス宛てに上記コンテンツの保存状態を通知するメールを送信する送信ステップとを含んでいる。
【００１７】
上記の構成によると、コンテンツの一時保存が終了する時点よりも前に、各ユーザの専用の記憶領域に未保存のコンテンツに対応するメールアドレス宛てにコンテンツの保存状態を通知するメールが送信される。したがって、ユーザは各ユーザ専用の記憶領域に未保存のコンテンツの一時保存部における一時保存期限が迫っていることを認識することができる。よって、ユーザの上記未保存のコンテンツの保存忘れを防止することができる。
【発明の効果】
【００１８】
本発明の一態様によれば、各ユーザ専用の記憶領域にコンテンツの保存を行っていないユーザによるコンテンツの保存忘れを防止できるという効果を奏する。
【図面の簡単な説明】
【００１９】
【図１】本発明の実施形態１に係る管理サーバの要部構成を示すブロック図である。
【図２】本発明の実施形態１に係るメール送信システムの要部構成を示す概略図である。
【図３】本発明の実施形態１に係る写真シール作成装置の外観の構成例を示す斜視図である。
【図４】本発明の実施形態１に係る写真シール作成装置の要部構成を示すブロック図である。
【図５】本発明の実施形態１に係る携帯端末の要部構成を示すブロック図である。
【図６】本発明の実施形態１におけるメール送信処理の流れの一例を示すシーケンス図である。
【図７】本発明の実施形態１に係る写真シール作成装置における表示画面の一例を示す図である。（ａ）はユーザが画像を選択するための表示画面の一例を示す図であり、（ｂ）はユーザがメールアドレスを入力するための表示画面の一例を示す図である。
【図８】実施形態１に係る期限切れ通知処理の流れの一例を示すフローチャートである。
【図９】実施形態１に係る会員別通知メール送信処理の流れの一例を示すフローチャートである。
【図１０】（ａ）〜（ｄ）は、実施形態１に係る携帯端末の表示部に表示される画面遷移図の一例を示す図である。
【図１１】（ａ）および（ｂ）は、実施形態１に係る携帯端末の表示部に表示される画面遷移図の他の一例を示す図である。
【図１２】（ａ）および（ｂ）は、実施形態１に係る携帯端末の表示部に表示される画面遷移図のさらに他の一例を示す図である。
【図１３】変形例１に係る携帯端末の表示部に表示される画像の一例を示す図である。
【図１４】変形例２に係る期限切れ通知処理の流れの一例を示すフローチャートである。
【図１５】変形例３に係る期限切れ通知処理の流れの一例を示すフローチャートである。
【図１６】変形例４に係る期限切れ通知処理の流れの一例を示すフローチャートである。
【図１７】変形例５に係る期限切れ通知処理の流れの一例を示すフローチャートである。
【図１８】変形例６に係る管理サーバの要部構成を示すブロック図である。
【図１９】変形例６に係る課金額決定処理の流れの一例を示すフローチャートである。
【発明を実施するための形態】
【００２０】
本発明の実施の形態について、図１〜１７に基づいて説明すれば以下のとおりである。以下の特定の実施形態で説明する構成以外の構成については、必要に応じて説明を省略する場合があるが、他の実施形態（変形例）で説明されている場合は、その構成と同じである。また、説明の便宜上、各実施形態において同一の機能を有する部材については、同一の符号を付し、適宜その説明を省略する。さらに、各図面に記載した部材の形状、ならびに、長さ、奥行および幅などの寸法は、実際の形状や寸法を反映させたものではなく、図面の明瞭化と簡略化のために適宜変更している。
【００２１】
〔実施形態〕
以下、本発明に係る管理装置、コンテンツ提供装置、通信端末、およびメール送信システムの一態様として、図１〜図１２に基づき、管理サーバ（管理装置）２、写真シール作成装置（コンテンツ提供装置）４、携帯端末（通信端末）３、およびメール送信システム１について、それぞれ詳細に説明する。また、本実施形態における「コンテンツ」とは、写真シール作成装置４にて撮影された写真データ（撮影画像または撮影画像データ）である。なお、本発明に係る管理装置、コンテンツ提供装置、通信端末、およびメール送信システムは、上記の態様に限定されるものではない。例えば、通信端末は、携帯電話機、スマートフォン、タブレット端末等の携帯端末に限らず、デスクトップ型またはノートブック型のＰＣ等の通信端末であってよい。
【００２２】
（メール送信システム１）
図２は、本発明の実施形態１に係るメール送信システム１の要部構成を示す概略図である。図２に示すように、メール送信システム１は、管理サーバ２、写真シール作成装置４、および携帯端末３を備えている。
【００２３】
ここで、メール送信システム１の概要を説明する。まず、ユーザは、写真シール作成装置４で作成した撮影画像を携帯端末３で取得するために、写真シール作成装置４にメールアドレスを入力する。写真シール作成装置４は、撮影画像（撮影画像データ）と対応付けて、上記メールアドレス、および撮影画像を識別するための情報である撮影画像情報（コンテンツ識別情報）を管理サーバ２に送信する。なお、ユーザは、写真シール作成装置４に複数のメールアドレスを入力してもよい。この場合、写真シール作成装置４は、撮影画像に複数のメールアドレスおよび撮影画像情報を対応付けて、当該撮影画像を管理サーバ２に送信する。また、ユーザがメールアドレスを入力しなかった場合、写真シール作成装置４は、撮影画像に撮影画像情報を対応付けて、当該撮影画像を管理サーバ２に送信する。
【００２４】
ここで、「撮影画像」とは、写真シール作成装置４が撮影した画像だけではなく、写真シール作成装置４が撮影した画像を編集した編集後の画像も含む。また、「撮影画像情報」の例として、画像のファイル名や画像に付与されるＩＤ（後述するシールＩＤ）などが挙げられる。なお、そのほかの情報を撮影画像とともに管理サーバ２に送信してもよい。
【００２５】
また、本実施形態では、写真シール作成装置４が撮影画像情報として、シールＩＤを送信するものとして説明する。ここで、シールＩＤとは、写真シール作成装置４が１回のプレイ（ゲーム）で生成した１または複数の撮影画像を示す識別情報である。この場合、写真シール作成装置は、１プレイで作成した１または複数の撮影画像を示すシールＩＤに、ユーザが入力したメールアドレスを対応付ける。そして、写真シール作成装置４は、１プレイで生成した１または複数の撮影画像、当該１または複数の撮影画像を示すシールＩＤおよび当該シールＩＤに対応付けたメールアドレスを管理サーバ２に送信する。
【００２６】
管理サーバ２は、上記メールアドレスを受信すると、当該メールアドレスに対応付けられた撮影画像を取得するためのウェブページのＵＲＬ（コンテンツ取得情報）または当該ウェブページへのリンク付きの表示画像（撮影画像のサムネイル）を含むメールを、当該メールアドレス宛てに送信する。ユーザは、携帯端末３でメールを受け取ると、上記ウェブページにアクセスするために携帯端末３を操作してＵＲＬまたはリンクを選択（押下）する。管理サーバ２は、ユーザの上記ウェブページへのアクセス要求（コンテンツ取得要求）を受けて、携帯端末３に、撮影画像を取得または保存するためのウェブページを送信する。
【００２７】
ここで、管理サーバ２は写真シール作成装置４から撮影画像を受信すると、管理サーバ２に蓄積される撮影画像の増大による管理サーバ２の容量不足を未然に防ぐため、受信した撮影画像を一定期間保存したのちに消去する。したがって、上記一定期間後にユーザが撮影画像を閲覧するためには、管理サーバ２の一定期間の保存を行う一時保存部２４１とは異なる記憶領域に撮影画像を保存する必要がある。
【００２８】
本発明の実施形態１に係る管理サーバ２は、一定期間の保存を行うサーバの一時保存部２４１に一時保存された撮影画像について、上記一時保存部２４１に一時保存された撮影画像の残存保存期間が所定の期間より短いか否かを判定する。ここで、撮影画像の残存保存期間とは、当該撮影画像が一時保存部２４１に保存される残りの期間であり、換言すると、当該撮影画像が一時保存部２４１から消去されるまでの期間である。
【００２９】
次に、管理サーバ２は、上記一時保存部２４１に記憶されてから所定の期間が過ぎた撮影画像が、管理サーバ２が一時的に保存を行う一時保存部２４１とは異なる記憶領域に保存されたか否かを判定する。
【００３０】
管理サーバ２は、上記撮影画像の残存保存期間が所定の長さの期間よりも短く、かつ、一時保存部２４１以外の記憶領域に保存されていない場合、上記撮影画像に対応するメールアドレス宛てに撮影画像が一時保存部２４１以外の記憶領域に保存されていない旨を通知するメールを送信する。
【００３１】
以上により、一時保存部２４１以外の記憶領域に撮影画像を保存していないユーザの保存忘れを防止することができる。
【００３２】
（管理サーバ２）
次に、図１を参照して、管理サーバ２について説明する。図１は、本発明の実施形態１に係る管理サーバ２の要部構成を示すブロック図である。図１に示すように、管理サーバ２は、通信部２１、制御部２２および記憶部２４を備えている。また、制御部２２は、受信部２２１、画像一時保存実行部２２２、判定部２２４、メール作成部２２５、送信部２２６、ユーザ指示実行部２２７および表示ページ作成部２２８を備えている。
【００３３】
（通信部２１）
通信部２１は、写真シール作成装置４および携帯端末３と通信を行う通信デバイスである。具体的には、通信部２１は、写真シール作成装置４から撮影画像、撮影画像のシールＩＤおよびユーザが入力したメールアドレスを受信し、後述する受信部２２１に出力する。また、通信部２１は、後述するメール作成部２２５が作成したメールを、ユーザが入力したメールアドレス宛てに送信する。さらに、通信部２１は、携帯端末３に、画像提供サイトの各ウェブページを送信する。なお、以下では、
（受信部２２１）
受信部（受信手段）２２１は、通信部２１が写真シール作成装置４および携帯端末３から受信した各種情報を受け取り、各部に出力する。例えば、受信部２２１は、撮影画像、撮影画像のシールＩＤおよびユーザが入力したメールアドレスを受け取り、画像一時保存実行部２２２に出力する。また、受信部２２１は、ユーザが入力したメールアドレス宛てに送信されたメールに含まれるＵＲＬ（またはリンク付き表示画像）が、携帯端末３にて選択されたことを示す情報を受け取り、ユーザ指示実行部２２７に出力する。
【００３４】
また、携帯端末３にて行われたユーザからの撮影画像の保存の指示をユーザ指示実行部２２７に出力する。
【００３５】
（画像一時保存実行部２２２）
画像一時保存実行部（実行部、一時保存実行手段）２２２は、受信部２２１から撮影画像、シールＩＤおよびメールアドレスを受け取り、一時保存部２４１に上記撮影画像、撮影画像情報およびメールアドレスを格納する。具体的には、画像一時保存実行部２２２は、同一プレイで生成された１または複数の撮影画像と、当該１または複数の撮影画像を示すシールＩＤと、当該シールＩＤに対応付けられたメールアドレスとを、それぞれ対応付けて、一時保存部２４１に格納する。当該撮影画像を画像一時保存実行部２２２は、格納した撮影画像に対応するメールアドレスおよびシールＩＤをメール作成部２２５に出力する。
【００３６】
ここで、画像一時保存実行部２２２は、撮影画像の受け取り時に、撮影画像に対応するメールアドレスがあるか否かを判定してもよい。撮影画像に対応するメールアドレスがない場合においては、受け取った撮影画像を画像一時保存実行部２２２に格納しない構成であってもよい。
【００３７】
（判定部２２４）
判定部２２４は、残存保存期間判定部（残存保存期間判定手段）２２４ａ、アドレス数判定部２２４ｂ、保存状態判定部（保存状態判定手段）２２４ｃ、会員判定部２２４ｄ等を備えている。
【００３８】
（残存保存期間判定部２２４ａ）
残存保存期間判定部２２４ａは、一時保存部２４１に格納された撮影画像が上記撮影画像の一時保存期間が終了する時点から一時保存期間が終了する時点よりも前に設定されている所定の時点までの期間よりも残存保存期間が短いか否かを判定する。すなわち、残存保存期間判定部２２４ａは、一時保存部２４１に格納された撮影画像の残存保存期間が所定の長さの期間より短いか否かを判定する。残存保存期間判定部２２４ａは、撮影画像の残存保存期間が規定の期間より短い場合、当該撮影画像に対応するシールＩＤを保存状態判定部２２４ｃに出力する。
【００３９】
詳しくは、本実施形態においては、例えば、一時保存部２４１への一時保存開始から1週間で、撮影画像は削除されるとする。残存保存期間判定部２２４ａは、一時保存が終了する（すなわち、撮影画像が一時保存部２４１から削除される）時点の２日前（すなわち、一時保存開始から５日後）を所定の時点とする。すなわち、残存保存期間判定部２２４ａは、撮影画像の残存保存期間が２日間より短いか否かを判定する。
【００４０】
例えば、残存保存期間判定部２２４ａは、撮影画像の一時保存部２４１への格納時に、一時保存が終了する時点から所定の期間を遡った時点（一時保存開始から１週間で削除され、当該所定の時間が２日の場合、一時保存開始から５日経った時点）を計算し、計算した時点を撮影画像と対応付けて保存してもよい。残存保存期間判定部２２４ａは、現在の時間が上記計算した時点を過ぎたか否かを判定してもよい。
【００４１】
また、残存保存期間判定部２２４ａは、アドレス数判定部２２４ｂに、残存保存期間が所定の期間（２日間）より短い撮影画像に対応するシールＩＤを出力してもよい。
【００４２】
（アドレス数判定部２２４ｂ）
アドレス数判定部２２４ｂはシールＩＤに対し入力されたメールアドレスの数が２つ以上であるか否かを判定し、判定した結果およびシールＩＤを保存状態判定部２２４ｃに出力する。
【００４３】
詳細には、例えば、アドレス数判定部２２４ｂは、一時保存部２４１に保存されているシールＩＤに対応するメールアドレスデータを検出し、上記メールアドレス数の判定を行ってもよい。
【００４４】
（保存状態判定部２２４ｃ）
保存状態判定部２２４ｃは、撮影画像に対応するシールＩＤを受け取って、ユーザが当該シールＩＤに対応する撮影画像を各ユーザ専用の記憶領域に保存済であるか否かを判定する。例えば、保存状態判定部２２４ｃは、シールＩＤの示す各撮影画像が、当該シールＩＤに対応付けられたメールアドレスに対応するユーザのユーザ専用の記憶領域に保存されているか否かを判定してもよい。
【００４５】
例えば、保存状態判定部２２４ｃは、後述の保存情報を参照して、撮影画像がユーザ専用の記憶領域に保存済であるか否かを判定してもよい。
【００４６】
保存状態判定部２２４ｃが、当該撮影画像が保存済でないと判定した場合、当該撮影画像に対応するメールアドレスを一時保存部２４１から取得し、会員判定部２２４ｄに出力する。
【００４７】
また、保存状態判定部２２４ｃは、１つのシールＩＤの撮影画像に対応するメールアドレスが２つ以上あるという結果をアドレス数判定部２２４ｂから受けとった場合、少なくとも１つのメールアドレスに対応するユーザによって撮影画像が保存済であるか否かを判定してもよい。少なくとも１つのメールアドレスのユーザによって当該撮影画像が保存済である場合、保存状態判定部２２４ｃは当該撮影画像に対応するメールアドレスを会員判定部２２４ｄに出力しなくてもよいし、または、保存を行ったユーザ以外のユーザの当該撮影画像に対応するメールアドレスを会員判定部２２４ｄに出力してもよい。
【００４８】
（会員判定部２２４ｄ）
会員判定部２２４ｄは、会員別通知メール送信処理を行う。会員判定部２２４ｄは、保存状態判定部２２４ｃからメールアドレスを受け取ると、会員情報格納部２４３に格納されている会員情報を参照して、受け取ったメールアドレスに対応するユーザが会員であるか否か、または、有料会員であるか否かを判定する。ここで、会員は、無料会員および有料会員を含む。
【００４９】
会員判定部２２４ｄは、メール作成部２２５にメールアドレスおよび当該メールアドレスに対応するユーザの会員情報（ユーザが非会員、無料会員または有料会員であるという情報等）を出力する。
【００５０】
（メール作成部２２５）
メール作成部２２５は、ユーザが入力したメールアドレス宛てに送信するメールを作成するものである。具体的には、メール作成部２２５は、画像一時保存実行部２２２からユーザが入力したメールアドレスを受信すると、ユーザが入力したメールアドレス宛てのメールを作成する。当該メールには一時保存された撮影画像を各ユーザ専用の記憶領域に保存するためのウェブページのＵＲＬ（または当該ウェブページへのリンク付き表示画像）が含まれており、ユーザは当該ＵＲＬを選択することで、撮影画像を保存またはダウンロードすることができる。なお、上記ウェブページのＵＲＬは、例えば、表示ページ作成部２２８から取得する。メール作成部２２５は、作成した当該メールを送信部２２６に出力し、通信部２１を介してユーザが入力したメールアドレス宛てに当該メールを送信させる。
【００５１】
また、メール作成部２２５は、判定部２２４（会員判定部２２４ｄ）から、各ユーザ専用の記憶領域に保存していない未保存の撮影画像に対応するメールアドレスおよび当該メールアドレスに対応するユーザの会員情報を受け取る。次に、メール作成部２２５は、メール情報格納部２４４に格納されているメール情報を参照して、それぞれの会員に適当な保存忘れ通知メールを作成する。メール作成部２２５は作成した当該メールを送信部２２６に出力し、通信部２１を介してユーザが入力したメールアドレス宛てに当該メールを送信させる。すなわち、メール作成部２２５は、会員の種類毎（非会員、無料会員、有料会員）に異なる保存忘れ通知メールを作成する。
【００５２】
（送信部２２６）
送信部（送信手段）２２６は、メール作成部２２５および表示ページ作成部２２８から出力されたメールおよびウェブページを、通信部２１に送信させる。
【００５３】
（ユーザ指示実行部２２７）
ユーザ指示実行部（ユーザ指示実行手段）２２７は、受信部２２１からユーザが入力したメールアドレス宛てに送信されたメールに含まれるＵＲＬ（または、リンク付き表示画像）が、携帯端末３にて選択されたことを示す情報を受け取ると、表示ページ作成部２２８にウェブページの作成を指示する。
【００５４】
また、ユーザ指示実行部２２７は、一時保存部２４１に格納されている撮影画像を各ユーザ専用の記憶領域に保存する指示を携帯端末３から受信部２２１を介して取得し、当該保存を実行する。例えば、ユーザ指示実行部２２７は、一時保存部２４１に一時保存されている撮影画像を携帯端末３に対して、送信部２２６を介して通信部２１に送信させてもよい。また、当該撮影画像の保存先としては、管理サーバ２とは異なる外部サーバであってもよい。この場合においても、ユーザ指示実行部２２７は、一時保存部２４１に格納されている撮影画像を、上記外部サーバに対して、送信部２２６を介して通信部２１に送信させてもよい。また、管理サーバ２が、一時保存部２４１とは異なる撮影画像の記憶領域を備えている構成であってもよく、ユーザから保存の指示を受け付けて、撮影画像を当該記憶領域に保存してもよい。
【００５５】
ユーザ指示実行部２２７は、当該保存を実行すると、保存情報格納部２４２に保存されている撮影画像の保存履歴である保存情報を更新してもよい。また、当該保存情報には、保存された撮影画像、当該撮影画像を示すシールＩＤ、当該撮影画像の保存日時、当該撮影画像の保存先、当該撮影画像の保存を行ったユーザ（または当該ユーザに対応するメールアドレス）、当該撮影画像に対応付けられたメールアドレスに対応するユーザのうち、保存を行っていないユーザ（または当該ユーザに対応するメールアドレス）等の情報を含んでいてもよい。上記保存情報は、撮影画像が一時保存部２４１に一時保存されるとともに作成され、保存情報格納部２４２に保存されてもよい。
【００５６】
（表示ページ作成部２２８）
表示ページ作成部２２８は、携帯端末３に表示されるウェブページを作成するものである。具体的には、表示ページ作成部２２８は、受信部２２１が受信した、ユーザへの画像提供サイトにおけるアクセス要求に応じて、サイト情報格納部２４５からウェブページのデータを読み出し、携帯端末３に表示させるウェブページを作成する。なお、ウェブページを作成するとき、会員情報格納部２４３に格納されているユーザ情報や、ユーザ情報と対応付けられた撮影画像のサムネイル画像などを用いてもよい。
【００５７】
また、表示ページ作成部２２８は、判定部２２４（会員判定部２２４ｄ）からの指示に応じたウェブページを作成し、送信部２２６に出力する。そして、送信部２２６は、通信部２１を介して、出力されたウェブページを携帯端末３に送信する。
【００５８】
（記憶部２４）
記憶部２４は一時保存部２４１、保存情報格納部２４２、会員情報格納部２４３、メール情報格納部２４４、サイト情報格納部２４５等を備えている。
【００５９】
（一時保存部２４１）
写真シール作成装置４から受信した撮影画像と入力メールアドレスとシールＩＤとを対応付けて一時的に保存するメモリである。本実施形態においては、一時保存開始時から、１週間で一時保存データを削除する構成であるが、一時保存期間の長さはこれに限定されない。
【００６０】
（保存情報格納部２４２）
保存情報格納部２４２は、一時保存部２４１に格納された撮影画像についての保存情報を格納するメモリである。
【００６１】
（会員情報格納部２４３）
画像提供サイトの会員であるユーザの各種情報を格納するメモリである。例えば、会員情報格納部２４３には、ユーザを一義的に特定するためのユーザＩＤ、当該ユーザのメールアドレス、当該ユーザが使用する携帯端末３を識別するためのＩＤ、ユーザの会員の種類（有料会員、無料会員等）、ユーザが保存した撮影画像等が対応付けられて格納されていてもよい。なお、格納されている情報は上記の例に限定されず、ユーザを識別するためのアカウントＩＤなど、その他のユーザの情報が格納されていてもよい。
【００６２】
（メール情報格納部２４４）
メール情報格納部２４４は、ユーザ宛てに送信するメールのデータを格納するメモリである。
【００６３】
（サイト情報格納部２４５）
サイト情報格納部２４５は、携帯端末３に表示される画像提供サイトのウェブページのデータを格納するメモリである。
【００６４】
（写真シール作成装置４）
写真シール作成装置４は、撮影や編集などの作業をユーザにゲームとして行わせ、撮影画像や編集済み画像を提供する代わりに、ユーザより代金を受け取るゲーム機である。写真シール作成装置４はゲームセンタなどの店舗に設置される。ユーザは１人であることもあるし、複数人であることもある。
【００６５】
写真シール作成装置４が提供するゲームで遊ぶユーザは、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。ユーザは、編集済みの画像が印刷されたシール紙を受け取って、一連のゲームを終了させることとなる。
【００６６】
図３は、本発明の実施形態１に係る写真シール作成装置４の外観の構成例を示す斜視図である。この図に示すように、写真シール作成装置４は、筐体４０、事前接客ユニット４１、撮影ユニット４２、編集ユニット４３、天井ストロボボックス４４、ディスプレイ４５、およびスキャナ４６を備えている。事前接客ユニット４１は、上部ユニット４１Ａおよび下部ユニット４１Ｂを備えている。撮影ユニット４２は、前方ユニット４２Ａおよび後方ユニット４２Ｂを備えている。ディスプレイ４５は、上部ユニット４１Ａに設けられており、スキャナ４６は、下部ユニット４１Ｂに設けられている。なお、写真シール作成装置４は、写真シールを作成することができる装置であればよく、上記の構成例に限定されない。
【００６７】
図４は、本発明の実施形態１に係る写真シール作成装置４の要部構成を示すブロック図である。図４に示すように、写真シール作成装置４は、読取部５０、解析部５１、撮影部５２、編集部５３、入力部５４、印刷部５５、表示部５６、および通信部５７を備える。なお、各部の詳細については、本発明の本質とあまり関連しないため、省略する。
【００６８】
また、表示部５６は、ユーザが管理サーバ２に送信する撮影画像を選択し、メールアドレスを入力するための画面を表示する。
【００６９】
（携帯端末３）
ユーザは、携帯端末３を所持している。ユーザは、写真シール作成装置４において撮影した画像を、画像提供サイトを通じて、上記管理サーバ２の内部に設けられた一時保存部以外の記憶部、上記管理サーバ２の外部の装置が備えている記憶部、または、ユーザの携帯端末３が備える記憶部に保存する。
【００７０】
図５は、本発明の実施形態１に係る携帯端末３の要部構成を示すブロック図である。図５に示すように、携帯端末３は、入力部６０、記憶部６１、表示部６２、および通信部６３を備えている。表示部６２（表示手段）は、種々の画像を表示する表示デバイスであり、例えば、管理サーバ２の通信部２１から送信されたメールおよびウェブページ等を表示する。その他の各部の詳細については、本発明の本質とあまり関連しないため、省略する。
【００７１】
（メール送信処理）
次に、図６〜１２を参照して、メール送信処理について詳細に説明する。図６は、本発明の実施形態１におけるメール送信処理の流れの一例を示すシーケンス図であり、図７は本発明の実施形態１に係る写真シール作成装置４において、ユーザが画像を選択し、メールアドレスを入力するための表示画面であり、図８は実施形態１に係る期限切れ通知処理の流れの一例を示すフローチャートであり、図９は実施形態１に係る会員別通知メール送信処理の流れの一例を示すフローチャートであり、図１０〜１２は本発明の実施形態１における携帯端末３の表示部６２に表示される画面遷移図である。
【００７２】
図６に示すように、ユーザは写真シール作成装置４でのゲームのプレイを開始する（ステップＳ１）。具体的には、写真シール作成装置４の事前接客ユニット４１の前に立ち、ゲームのプレイに必要な料金を、図示しないコイン投入口に投入する。これにより、ゲームのプレイが開始される。
【００７３】
次に、写真シール作成装置４が、ユーザの写真を撮影する（ステップＳ２）。その際、ユーザは、撮影ユニット４２内に入る。図示しない撮影ボタンをユーザが押下すると、写真シール作成装置４の撮影部５２が、天井ストロボボックス４４からフラッシュ光を照射して、ユーザの写真を撮影する。この結果、図示しない撮像素子から撮像信号が撮影部５２に送られ、撮影部５２は、その信号を元に、ユーザの撮影画像を作成する。撮影部５２は、作成した撮影画像を表示部５６に出力する。
【００７４】
写真シール作成装置４は、次に、作成した撮影画像をユーザに編集させる（ステップＳ３）。その際、ユーザは、編集ユニット４３の前に立つ。表示部５６は、編集ユニット４３に設けられている、図示しないディスプレイの画面に、画像を表示する。ユーザは、図示しないタッチペンなどを利用して、撮影画像を画面上で編集する。その際、写真シール作成装置４の編集部５３が、撮影画像に対し、ユーザが画面上で行った編集を反映させる。
【００７５】
ユーザによる画像編集が終了すると、編集部５３は、編集を反映させた複数の撮影画像を、印刷部５５および通信部５７に出力する。編集完了後、図示しない印刷ボタンをユーザが押下すれば、写真シール作成装置４の印刷部５５は、図示しないプリンタを制御して、シール紙にユーザの撮影画像を印刷する。これによりユーザは、写真シールを入手することができる。
【００７６】
画像編集の終了後、写真シール作成装置４の表示部５６は、メールアドレスを入力するためのメールアドレス入力画面を、編集ユニット４３に設けられた、図示しないディスプレイの画面に表示する。
【００７７】
図７は２人のユーザが同時に画像を選択し、メールアドレスを入力することが可能な画面例を示している。
【００７８】
図７の（ａ）は、ユーザが、写真シール作成装置４において１回のプレイにおいて生成された撮影画像の中から、管理サーバ２に送信する画像を選択する表示画面Ｑを例示している。
【００７９】
図７の（ａ）によれば、画像選択画面の略中央部分に、選択対象となる複数の撮影画像が表示される選択画像表示領域７１が設けられている。その下側には、選択した撮影画像を送信対象とするときに操作（押下）されるＯＫボタン７３が表示されている。この選択画像表示領域７１とＯＫボタン７３の間には、送信画像表示領域７２が設けられ、送信画像が表示される。
【００８０】
このような構成の画面が表示画面Ｑの左側に配置され、同様の構成の画面が右側にも表示される。すなわち、選択画像表示領域７１ａ、ＯＫボタン７３ａ、および送信画像表示領域７２ａで構成される画面が、選択画像表示領域７１、ＯＫボタン７３、および送信画像表示領域７２の右側にも表示される。
【００８１】
このような画面においては、２人のユーザが、それぞれが自己の携帯端末３に送信したい画像を選択することが可能とされている。なお、各ユーザは同じタイミングで画像を選択してもよいし、異なるタイミングで画像を選択してもよく、各ユーザ間の画像選択のタイミングは制限されない。
【００８２】
なお、送信される画像は複数であってもよい。
【００８３】
図７の（ｂ）は、ユーザがメールアドレスを入力する表示画面Ｑ１を例示している。
【００８４】
図７の（ｂ）によれば、表示画面Ｑ１の左側には、アルファベット表示領域８１、画像表示領域８４、メールアドレス表示領域８２、およびＯＫボタン８３が表示されている。
【００８５】
また、表示画面Ｑ１においては、右側にも同様の構成を有する画面が表示される。すなわち、表示画面Ｑ１の右側に、アルファベット表示領域８１ａ、画像表示領域８４ａ、メールアドレス表示領域８２ａ、ＯＫボタン８３ａが表示されている。
【００８６】
２人のユーザは、図７（ｂ）に示したような画面において、同じタイミングで、自己の携帯端末３のメールアドレスを、それぞれ入力する（ステップＳ４）。なお、入力されるメールアドレスは複数であってもよい。ここで、入力時間が制限されている場合、制限時間内であれば、アドレスを複数入力できる構成でもよい。
【００８７】
この時、入力した情報は入力部５４が受け取る。上記ＯＫボタン８３を押下する。これにより、入力内容が確定され、入力部５４は、上記の選択された画像および入力されたメールアドレスは、シールＩＤ（コンテンツ識別情報）とともに、管理サーバ２に送信する（ステップＳ５）。このとき、通信部５７は、上記メールアドレス、上記撮影画像、および撮影画像を一義的に特定するためのシールＩＤを関連付けて送信する。
【００８８】
また、図７で示した表示画面ＱおよびＱ１の右側および左側のそれぞれで選択された撮影画像および入力メールアドレスは、それぞれが異なるシールＩＤに対応していてもよい。
【００８９】
言い換えると、画面左側で選択された撮影画像および画面左側で入力されたメールアドレスが１つのシールＩＤに対応しており、一方で、画面右側で選択された撮影画像および画面左側で入力されたメールアドレスが別のシールＩＤに対応していてもよい。すなわち、写真シール作成装置４が１回のプレイで生成された１または複数の撮影画像に対して、複数のシールＩＤを生成してもよい。この場合、シールＩＤは、１回のプレイで生成された１または複数の撮影画像の中から、ユーザが選択した撮影画像を示す識別情報である。
【００９０】
また、管理サーバ２は、写真シール作成装置４が同一プレイで生成された複数のシールＩＤを対応付けて管理してもよい。
【００９１】
また、同一プレイ内で生成された各シールＩＤの示す撮影画像は、互いに全てが同一の画像であってもよいし、互いに全て異なる画像であってもよいし、各シールＩＤの示す撮影画像のうち、一部が同一の画像であってもよい。
【００９２】
次に、写真シール作成装置４から送信されたメールアドレス、撮影画像、およびシールＩＤを、管理サーバ２の通信部２１が受信する（ステップＳ１１：受信ステップ）。受信部２２１は、受信した撮影画像を、画像一時保存実行部２２２に出力する。画像一時保存実行部２２２は、受け取った撮影画像に対応するメールアドレスがあるか否かを判定する（ステップＳ１２）。受け取った撮影画像に対応するメールアドレスがあると判定した場合（ステップＳ１２においてＹＥＳの場合）、画像一時保存実行部２２２は、メールアドレス、撮影画像、およびシールＩＤを対応付けて一時保存部２４１に格納し、格納した撮影画像に対応するメールアドレスおよびシールＩＤをメール作成部２２５に出力する。（ステップＳ１３：画像一時保存実行ステップ）。受け取った撮影画像に対応するメールアドレスがないと判定した場合（ステップＳ１２においてＮＯの場合）、メール送信処理を終了する。
【００９３】
メール作成部２２５は、受け取ったメールアドレス宛てのメールを作成する。このとき、メール作成部２２５は、受け取ったメールアドレスおよびシールＩＤを表示ページ作成部２２８に出力し、ユーザが当該シールＩＤが示す撮影画像を取得または保存するためのウェブページの作成を指示する。表示ページ作成部２２８は、撮影画像保存用ウェブページを作成し、撮影画像保存用ウェブページのＵＲＬ（または、当該ウェブページへのリンク付き表示画像）をメール作成部２２５に出力する。
【００９４】
メール作成部２２５は、出力されたＵＲＬを含む、当該メールアドレス宛てのメールを作成し、送信部２２６に出力する。送信部２２６は、通信部２１を介して、当該メールアドレス宛てにメールを送信する（ステップＳ１４）。
【００９５】
管理サーバ２は、一時保存部２４１に格納された撮影画像について期限切れ通知処理を行う（ステップＳ１５）。図８を参照して、期限切れ通知処理について説明する。
【００９６】
残存保存期間判定部２２４ａは、一時保存部２４１に格納された撮影画像の残存保存期間が所定の期間より短いか否かを判定する（ステップＳ１５１：残存保存期間判定ステップ）。当該判定方法の詳細については上述したためここでの説明は省略する。残存保存期間判定部２２４ａが撮影画像の残存保存期間が所定の期間より短いと判定した場合（ステップＳ１５１においてＹＥＳの場合）、残存保存期間判定部２２４ａは、当該撮影画像に対応するシールＩＤを保存状態判定部２２４ｃに出力する。
【００９７】
シールＩＤを受け取った保存状態判定部２２４ｃは、当該シールＩＤに対応するメールアドレスのユーザが当該シールＩＤに対応する撮影画像を各ユーザ専用の記憶領域に保存済であるか否かを判定する（ステップＳ１５２：保存状態判定ステップ）。当該判定方法の詳細については上述したためここでの説明は省略する。保存状態判定部２２４ｃが、撮影画像が各ユーザ専用の記憶領域に保存済でないと判定した場合（ステップＳ１５２においてＮＯの場合）、保存状態判定部２２４ｃは、当該シールＩＤに対応するメールアドレスを一時保存部２４１から取得し、会員判定部２２４ｄに出力する。
【００９８】
なお、残存保存期間判定部２２４ａが撮影画像の残存保存期間が所定の期間より短くないと判定した場合（ステップＳ１５１においてＮＯの場合）、または、保存状態判定部２２４ｃが、撮影画像が各ユーザ専用の記憶領域に保存済であると判定した場合（ステップＳ１５２においてＹＥＳの場合）において、期限切れ通知処理は終了する。
【００９９】
図９を参照して、会員別通知メール送信処理（ステップＳ１５３：送信ステップ）について説明する。
【０１００】
メールアドレスを受け取った会員判定部２２４ｄは、会員情報格納部２４３に格納されている会員情報を参照して、受け取ったメールアドレスのユーザが会員であるか否かを判定する（ステップＳ３１）。会員判定部２２４ｄが、当該ユーザが会員であると判定した場合（ステップＳ３１においてＹＥＳ）、会員判定部２２４ｄは当該ユーザが有料会員であるか否かを判定する（ステップＳ３２）。会員判定部２２４ｄが、当該ユーザが有料会員であると判定した場合（ステップＳ３２においてＹＥＳ）、会員判定部２２４ｄはメール作成部２２５に当該ユーザのメールアドレスおよび当該ユーザの会員情報（有料会員であるという情報）を出力する。メール作成部２２５に出力する上記メールアドレスとしては、例えば、上記会員情報が当該有料会員のメールアドレスを複数含む場合、当該シールＩＤに対応するメールアドレス以外のその他のメールアドレスであってもよい。メール作成部２２５は、有料会員に適当な保存忘れ通知メールをメール情報格納部２４４に格納されているメール情報を参照して作成する。メール作成部２２５は作成したメールを送信部２２６に出力し、通信部２１を介して当該ユーザのメールアドレス（会員判定部２２４ｄから受け取ったメールアドレス）宛てに送信させる（ステップＳ３３）。
【０１０１】
なお、受け取ったメールアドレスのユーザが会員でないと判定した場合（ステップＳ３１においてＮＯの場合）、または、受け取ったメールアドレスのユーザが有料会員でないと判定した場合（ステップＳ３２においてＮＯの場合）、会員判定部２２４ｄはメール作成部２２５に当該ユーザのメールアドレスおよび当該ユーザの会員情報（非会員または無料会員であるという情報）を出力する。メール作成部２２５は、それぞれのユーザに適当な保存忘れ通知メールをメール情報格納部２４４に格納されているメール情報を参照して作成する。メール作成部２２５は作成したメールを送信部２２６に出力し、通信部２１を介して当該ユーザのメールアドレス宛てに送信させる（ステップＳ３４またはステップＳ３５）。
【０１０２】
携帯端末３は、通信部６３にて上記メールを受信する（ステップＳ２１）。
【０１０３】
通信部６３は、受信したメールを表示部６２に出力する。ユーザは表示部６２にて表示されたメールを確認し、撮影画像を保存したい場合は、画像に示されているＵＲＬ（またはリンク付き表示画像）を選択する（ステップＳ２２）。入力部６０は、上記選択を受け取り、ＵＲＬが選択されたことを示す情報（ＵＲＬ選択情報）を通信部６３に出力する。通信部６３は、上記ＵＲＬ選択情報を管理サーバ２に送信する。
【０１０４】
管理サーバ２の通信部２１は、上記ＵＲＬ選択情報を受信する。受信部２２１は、上記ＵＲＬ選択情報をユーザ指示実行部２２７を介して表示ページ作成部２２８に出力する。表示ページ作成部２２８は、例えば、画像保存用ウェブページを送信部２２６に出力し、送信部２２６は、通信部２１を介して、携帯端末３に画像保存用ウェブページを送信する。
【０１０５】
携帯端末３の通信部６３は、受信した画像保存用ウェブページを表示部６２に出力する。表示部６２は、受け取ったウェブページを表示し（ステップＳ２３）、メール送信処理を終了する。
【０１０６】
すなわち、管理サーバ２は、撮影画像（コンテンツ）と、上記撮影画像（コンテンツ）を提供する写真シール作成装置４（コンテンツ提供装置）にて入力され上記撮影画像と対応付けられているメールアドレスとを受信する受信部２２１（受信手段）と、上記撮影画像と上記メールアドレスとを対応付けて一時保存部２４１に一時的に保存させる画像一時保存実行部２２２（一時保存実行手段）と、上記一時保存部２４１において、上記撮影画像の残存保存期間が上記撮影画像の一時保存が終了する時点から一時保存が終了する時点よりも前に設定されている所定の時点までの規定された期間よりも短いか否かを判定する残存保存期間判定部２２４ａ（残存保存期間判定手段）と、上記撮影画像が、各ユーザ専用の記憶領域に保存されたか否かを判定する保存状態判定部２２４ｃ（保存状態判定手段）と、上記残存保存期間判定部２２４ａが、上記撮影画像の残存保存期間が上記規定された期間よりも短いと判定し、かつ、上記保存状態判定部２２４ｃが上記撮影画像が上記各ユーザ専用の記憶領域に保存されていないと判定した場合、上記撮影画像に対応する上記メールアドレス宛てに上記撮影画像の保存状態を通知するメールを送信する送信部２２６（送信手段）とを備えている。
【０１０７】
上記の構成によると、撮影画像の一時保存が終了する時点よりも前に、未保存の撮影画像に対応するメールアドレス宛てに撮影画像の保存状態を通知するメールが送信される。したがって、ユーザは各ユーザ専用の記憶領域に未保存の撮影画像の一時保存期限が迫っていることを認識することができる。よって、ユーザの上記未保存のコンテンツの保存忘れを防止することができる。
【０１０８】
また、管理サーバ２は、残存保存期間判定部２２４ａが、上記撮影画像の残存保存期間が上記規定された期間よりも短いと判定し、かつ、保存状態判定部２２４ｃが上記撮影画像が上記各ユーザ専用の記憶領域に保存されていると判定した場合、送信部２２６が上記撮影画像に対応するメールアドレス宛てに上記撮影画像の保存状態を通知するメールを送信しない。
【０１０９】
上記の構成によると、すでに保存されている撮影画像については一時保存期限が迫っていても、各ユーザ専用の記憶領域へコンテンツの保存を指示した携帯端末３に対しては上記通知メールを送信しない。よって、当該保存を指示した上記通知メールを必要としないユーザに、上記通知メールを受け取ることによる煩わしさを感じさせずにすむことができる。
【０１１０】
また、管理サーバ２は、一時保存部２４１に一時保存されている撮影画像を各ユーザ専用の記憶領域に保存する指示を外部機器（携帯端末３またはユーザの使用する他の端末（例えば、ＰＣ））から受け付けて、一時保存部２４１に一時保存されている撮影画像を各ユーザ専用の記憶領域に保存するユーザ指示実行部２２７（ユーザ指示実行手段）をさらに備えている。
【０１１１】
上記の構成によれば、管理サーバ２は各ユーザ専用の記憶領域に撮影画像を保存する指示を外部機器から受け付けて、撮影画像を各ユーザ専用の記憶領域に保存することができる。
【０１１２】
次に、上記通知メールを受信した非会員、無料会員、および、有料会員のユーザの携帯端末３に表示される画像について説明する。
【０１１３】
また、メール送信システム１は管理サーバ２と、写真シール作成装置４と、携帯端末３を備えている。
【０１１４】
上記の構成によれば、写真シール作成装置４にて撮影画像に対応するメールアドレスが入力され、管理サーバ２にて撮影画像を一時的に保存し、一時保存の期限が迫っている撮影画像において、上記撮影画像に対応するメールアドレスを有する携帯端末３に上記撮影画像の保存状態を通知することができる。
【０１１５】
また、メール送信システム１において、さらに、写真シール作成装置４は、被写体を撮影し、写真シールを作成する写真シール作成装置であり、撮影画像は、被写体を撮影した撮影画像である。
【０１１６】
上記の構成によれば、写真シール作成装置４は、ユーザに対して撮影画像を提供するので、ユーザが上記撮影画像を保存する流れの中で、撮影画像の保存忘れを防止することができる。
【０１１７】
（非会員ユーザの携帯端末３における画像表示）
図１０は非会員のユーザの携帯端末３に表示される画像の遷移図である。
【０１１８】
図１０の（ａ）は、非会員のユーザの撮影画像が未保存であることを通知するメールの表示画像Ｐ１を示している。
【０１１９】
表示画像Ｐ１には、一時保存部２４１に一時保存されている撮影画像の閲覧期限（一時保存期限）が表示されている。
【０１２０】
上記の構成によれば、ユーザの撮影画像の保存忘れを防止する事ができる。
【０１２１】
また、表示画像Ｐ１は、「こちら」と表示されているリンク付き表示領域９０、「プリ画をゲット」と表示されているリンク付き表示領域９１、および、「プリ画を確認」と表示されているリンク付き表示領域９２を含んでいる。
【０１２２】
表示画像Ｐ１においてユーザがリンク付き表示領域９１またはリンク付き表示領域９２を選択すると、携帯端末３に表示される画像は、図１０の（ｂ）に示すライディングページ（リンク先ウェブページ）の表示画像Ｐ２に遷移する。
【０１２３】
図１０の（ｂ）は、図１０の（ａ）に示すリンク付き表示領域９１または９２のリンク先のウェブページの表示画像Ｐ２を示す図である。
【０１２４】
表示画像Ｐ２は、未保存撮影画像のサムネイル９３、「有料登録してプリ画を全部保存」と表示されているリンク付き表示領域９４、および、「無料会員登録をしてプリ画をゲット」と表示されているリンク付き表示領域９５を含んでいる。
【０１２５】
未保存撮影画像のサムネイル９３は、表示画像Ｐ２のウェブページでは保存できず、登録会員専用のウェブページで保存できる構成であってもよい。
【０１２６】
また、上記リンク付き表示領域９４またはリンク付き表示領域９５をユーザが選択すると、携帯端末３の表示部６２に表示される画像は、ユーザが会員登録するためのウェブページの画像に遷移してもよい。
【０１２７】
また、表示画像Ｐ２は「ログインしてプリを保存」と表示されたリンク付き表示領域９６を含む。ユーザがリンク付き表示領域９６を選択すると、携帯端末３の表示部６２に表示される画像は会員用のログインページの画像に遷移してもよい。
【０１２８】
一方、表示画像Ｐ１において、ユーザが「こちら」のリンク付き表示領域９０を選択すると、携帯端末３に表示される画像は図１０の（ｃ）に示す通知メール配信停止のためのウェブページの表示画像Ｐ３に遷移する。
【０１２９】
上記の構成によると、管理サーバ２は、非会員のユーザに対して、会員登録するためのウェブページへのリンク付き表示領域を含む非会員用の通知メールを送信することによって、非会員のユーザを会員に誘導することができる。
【０１３０】
なお、表示画像Ｐ１に、一時保存の期限が迫っている撮影画像の一時保存部２４１における保存先ＵＲＬ等の情報を表示してもよい。この場合、ユーザは、当該情報を押下することにより、直接、一時保存の期限が迫っている撮影画像の保存先にアクセスして、当該撮影画像を確認することができ、さらに当該撮影画像を各ユーザ専用の記憶領域に保存することができる。
【０１３１】
図１０の（ｃ）に示す通知メール配信停止のためのウェブページの表示画像Ｐ３は、「配信停止」と表示されている表示領域９７を含んでいる。ユーザが当該領域を選択すると、携帯端末３のメーラーが起動する。図１０の（ｄ）は、携帯端末３のメーラーが起動した場合の携帯端末３の表示部６２に表示される表示画像Ｐ４を示している。携帯端末３のメーラーが起動した時点で、当該メールの送信先が入力されてもよい。ユーザは表示画像Ｐ４に含まれる「送信」との表示領域９８を選択することによって通知メール配信停止メールを送付することができる。
【０１３２】
（無料会員ユーザの携帯端末３における画像表示）
次に、無料会員のユーザの携帯端末３に表示される画像の遷移図について図１１を参照して説明する。
【０１３３】
図１１の（ａ）は、無料会員のユーザの撮影画像が未保存であることを通知するメールの表示画像Ｐ５を示している。
【０１３４】
表示画像Ｐ５には、一時保存部２４１に一時保存されている撮影画像の閲覧期限（一時保存期限）が示されている。
【０１３５】
上記の構成によれば、ユーザの撮影画像の保存忘れを防止する事ができる。
【０１３６】
また、「こちら」と表示されているリンク付き表示領域９０、「プリ画をゲット」と表示されているリンク付き表示領域１０１、および、「プリ画を確認」と表示されているリンク付き表示領域１０２を含んでいる。リンク付き表示領域９０については、図１０を参照して上述しているため、ここでの説明を省略する。
【０１３７】
表示画像Ｐ５においてユーザがリンク付き表示領域１０１またはリンク付き表示領域１０２を選択すると、携帯端末３に表示される画像は、図１１の（ｂ）に示すランディングページ（リンク先ウェブページ）の表示画像Ｐ６に遷移する。
【０１３８】
図１１の（ｂ）は、図１１の（ａ）に示すリンク付き表示領域１０１または１０２のリンク先のウェブページの表示画像Ｐ６を示す図である。
【０１３９】
例えば、１つのシールＩＤに対応する撮影画像が複数ある場合において、無料会員は写真シール作成装置４において指定した１枚の画像のみを保存でき、有料会員はすべての画像を保存できる構成であってもよい。なお、管理サーバ２は、ユーザの会員の種類に関わらず、シールＩＤに対応する全ての撮影画像を一時保存部２４１に保存する。そのため、無料会員（および非会員）は、一時保存部２４１に撮影画像が保存されている間は、有料会員になることにより、いつでもシールＩＤに対応する全ての撮影画像を保存することができる。
【０１４０】
表示画像Ｐ６は、未保存撮影画像のサムネイル９３、「有料登録してプリ画を全部保存」と表示されているリンク付き表示領域１０４、および、「無料１枚保存」と表示されているリンク付き表示領域１０５を含んでいる。
【０１４１】
「有料登録してプリ画を全部保存」と表示されているリンク付き表示領域１０４をユーザが選択すると、携帯端末３の表示部６２に表示される画像は有料会員登録用のウェブページの画像に遷移してもよい。
【０１４２】
また、「無料１枚保存」と表示されているリンク付き表示領域１０５をユーザが選択すると、携帯端末３の表示部６２に表示される画像は画像保存を行うためのウェブページの画像に遷移してもよい。
【０１４３】
（有料会員ユーザの携帯端末３における画像表示）
次に、有料会員のユーザの携帯端末３に表示される画像の遷移図について図１２を参照して説明する。
【０１４４】
図１２の（ａ）は、有料会員のユーザの撮影画像が未保存であることを通知するメールの表示画像Ｐ７を示している。
【０１４５】
表示画像Ｐ７には、一時保存部２４１に一時保存されている撮影画像の閲覧期限（一時保存期限）が示されている。
【０１４６】
上記の構成によれば、ユーザの撮影画像の保存忘れを防止する事ができる。
【０１４７】
また、「こちら」と表示されているリンク付き表示領域９０、および「プリ画をゲット」と表示されているリンク付き表示領域１１１を含んでいる。リンク付き表示領域９０については、図１０を参照して上述しているため、ここでの説明を省略する。
【０１４８】
表示画像Ｐ７においてユーザがリンク付き表示領域１１１を選択すると、携帯端末３に表示される画像は、図１２の（ｂ）に示すランディングページ（リンク先のウェブページ）の表示画像Ｐ８に遷移する。
【０１４９】
図１２の（ｂ）は、図１２の（ａ）示すリンク付き表示領域１１１のリンク先のウェブページの表示画像Ｐ８を示す図である。
【０１５０】
例えば、撮影画像が、１つのシールＩＤに対応する撮影画像が複数ある場合において、有料会員はすべての画像を保存できる構成であってもよい。
【０１５１】
表示画像Ｐ８は、未保存撮影画像のサムネイル９３、「プリ画を全部保存」と表示されているリンク付き表示領域１１４を含んでいる。
【０１５２】
「プリ画を全部保存」と表示されているリンク付き表示領域１１４をユーザが選択すると、携帯端末３の表示部６２に表示される画像は画像保存を行うためのウェブページの画像に遷移してもよい。
【０１５３】
なお、未保存撮影画像の通知のメールを受信した場合の携帯端末３における表示画像の例について上述したが、例えば、撮影画像が未保存であることを通知するメールが送信される前にユーザが撮影画像閲覧ページにアクセスした場合、撮影画像閲覧ページの表示内容がアクセスしたユーザの会員登録状況、ユーザの最近のアクセス状況、ユーザのこれまでのアクセスの履歴等の状況等によって変更されてもよい。たとえば、ユーザが撮影画像閲覧ページにアクセスしたときに、「あと○日で画像が消えます」等の案内を表示してもよい。
【０１５４】
また、撮影画像の残存保存期間が撮影画像の一時保存が終了する時点から一時保存が終了する時点よりも前に設定されている所定の時点までの規定された期間より短い場合において、撮影画像が各ユーザ専用の記憶領域に保存されていない場合の撮影画像閲覧ページについて説明する。
【０１５５】
非会員のユーザの撮影画像閲覧ページは、撮影画像の残存保存期間を表示する領域、および、「会員入会」と表示されているリンク付き表示領域（バナー表示）を含んでもよい。ユーザが上記リンク付き表示領域を選択すると、会員登録するためのウェブページの画像に遷移してもよい。
【０１５６】
上記の構成によると、会員登録するためのウェブページへのリンク付き表示領域を含む非会員用の撮影画像閲覧ページを設けることによって、非会員のユーザを会員に誘導することができる。
【０１５７】
また、会員のユーザの撮影画像閲覧ページは、撮影画像の残存保存期間を表示する領域を含んでもよい。
【０１５８】
上記の構成によると、未保存の撮影画像の各ユーザ専用の記憶領域への保存を促すことができる。
【０１５９】
（変形例１）
図１３は、変形例１に係る無料会員のユーザの携帯端末３に表示される撮影画像閲覧ページの表示画像Ｐ９を示している。本変形例においては、例えば、１つのシールＩＤに対応する撮影画像が複数ある場合において、無料会員は１枚の画像のみを保存でき、有料会員はすべての画像を保存できる構成である。
【０１６０】
表示画像Ｐ９において、すでに保存された撮影画像１２１は保存されている撮影画像データ通りの色彩で表示される。
【０１６１】
一方、未保存である撮影画像１２２、撮影画像１２３および撮影画像１２４は、グレー表示されている。また、上記の未保存である撮影画像の表示領域上には一時保存の保存期限が示される。ユーザが未保存である撮影画像１２２、撮影画像１２３および撮影画像１２４を選択すると、携帯端末３の表示部６２における表示画像は、ユーザが有料会員に登録するためのウェブページの画像に遷移してもよい。
【０１６２】
（変形例２）
本発明の一変形例について図１４に基づいて説明すれば以下のとおりである。なお、説明の便宜上、前記実施形態にて説明した部材と同じ機能を有する部材については、同じ符号を付記し、その説明を省略する。
【０１６３】
本変形例は、期限切れ通知処理の一変形例である。本変形例は、撮影画像に対応する複数の異なる入力メールアドレスがあり、そのうち少なくとも一つのメールアドレスに対応するユーザが撮影画像をユーザ専用の記憶領域に保存済の場合、保存忘れ通知メールをその他の入力メールアドレスに対応するユーザ（入力メールアドレスを有する携帯端末３（入力メールアドレス宛てのメールを受信する携帯端末３））に送信しない構成である。
【０１６４】
図１４は、本変形例に係る期限切れ通知処理Ｓ１５ｂのフローチャートを示す図である。
【０１６５】
図８に示す期限切れ通知処理Ｓ１５と異なる工程について以下に説明する。残存保存期間判定部２２４ａが、撮影画像の残存保存期間が所定の期間より短いと判定した場合（ステップＳ１５１においてＹＥＳの場合）、残存保存期間判定部２２４ａは、当該撮影画像に対応するシールＩＤをアドレス数判定部２２４ｂに出力する。アドレス数判定部２２４ｂは受け取ったシールＩＤに対して２つ以上の対応するメールアドレスがあるか否かを判定する（ステップＳ１５５）。残存保存期間判定部２２４ａが受け取ったシールＩＤに対して２つ以上の対応するメールアドレスがあると判定した場合（ステップＳ１５５においてＹＥＳの場合）、メールアドレス数が２つ以上あるという情報とシールＩＤとを保存状態判定部２２４ｃに出力する。
【０１６６】
保存状態判定部２２４ｃは、メールアドレス数が２つ以上あるという情報とシールＩＤとを受け取ると、当該複数のメールアドレスのうち少なくとも１つのメールアドレスに対応するユーザによって撮影画像が各ユーザ専用の記憶領域に保存済であるか否かを判定する（ステップＳ１５６）。判定の詳細については上述したためここでの説明を省略する。保存状態判定部２２４ｃが、当該複数のメールアドレスのうち少なくとも１つのメールアドレスに対応するユーザによって撮影画像が保存済であると判定した場合（ステップＳ１５６においてＹＥＳの場合）、期限切れ通知処理は終了する。また、保存状態判定部２２４ｃが、当該複数のメールアドレスのうち少なくとも１つのメールアドレスに対応するユーザによって撮影画像が各ユーザ専用の記憶領域に保存済でないと判定した場合（ステップＳ１５６においてＮＯの場合）、保存状態判定部２２４ｃは、当該シールＩＤに対応するメールアドレスを一時保存部２４１から取得し、会員判定部２２４ｄに出力する。次に、上述した会員別通知メール送信処理（ステップＳ１５３）に移行する。
【０１６７】
なお、残存保存期間判定部２２４ａが受け取ったシールＩＤに対して２つ以上の対応するメールアドレスがないと判定した場合（ステップＳ１５５においてＮＯの場合）、ステップＳ１５２に移行する。
【０１６８】
すなわち、本変形例に係る管理サーバ２においては、上記受信部２２１は、上記コンテンツと対応付けられている異なる複数の上記メールアドレスを受信し、上記保存状態判定部２２４ｃは、撮影画像と対応付けられている異なる複数の上記メールアドレスのうち少なくとも１つのメールアドレスに対応するユーザの携帯端末３の指示によって上記撮影画像が各ユーザ専用の記憶領域に保存されたか否かを判定し、上記保存状態判定部２２４ｃが、異なる複数の上記メールアドレスのうち少なくとも１つのメールアドレスに対応するユーザの携帯端末３の指示によって上記撮影画像が各ユーザ専用の記憶領域に保存されたと判定した場合、上記送信部２２６がいずれのメールアドレス宛てにも上記コンテンツの保存状態を通知するメールを送信しなくてもよい。
【０１６９】
上記の構成によれば、撮影画像に対応しているメールアドレスに対応する何れか１つの携帯端末３が、撮影画像が各ユーザ専用の記憶領域に保存を指示した場合において、保存状態を通知するメールをいずれのメールアドレス宛てにも送信しないことができる。すなわち、すでにいずれかのユーザによってユーザ専用の記憶領域に保存された撮影画像については、撮影画像の保存状態を通知するメールを送信しない。そのため、上記通知メールを必要としないユーザに、上記通知メールを受け取ることによる煩わしさを感じさせずにすむことができる。
【０１７０】
（変形例３）
本発明の一変形例について図１５に基づいて説明すれば以下のとおりである。なお、説明の便宜上、前記実施形態および変形例にて説明した部材と同じ機能を有する部材については、同じ符号を付記し、その説明を省略する。
【０１７１】
本変形例は、期限切れ通知処理の他の一変形例である。
【０１７２】
本変形例は、期限切れ通知処理の一変形例であり、撮影画像に対応する複数の異なる入力メールアドレスがあり、撮影画像をユーザ専用の記憶領域に保存済でないユーザ（携帯端末３のメールアドレス宛て）に保存忘れ通知メールを送信する構成である。
【０１７３】
図１５は、本変形例に係る期限切れ通知処理Ｓ１５ｃのフローチャートを示す図である。
【０１７４】
本変形例に係る期限切れ通知処理Ｓ１５ｃにおいて、図１４に示す期限切れ通知処理Ｓ１５ｂと異なる工程について以下に説明する。
【０１７５】
残存保存期間判定部２２４ａが受け取ったシールＩＤに対して２つ以上の対応するメールアドレスがあると判定した場合（ステップＳ１５５においてＹＥＳの場合）、メールアドレス数が２つ以上あるという情報とシールＩＤとを保存状態判定部２２４ｃに出力する。
【０１７６】
保存状態判定部２２４ｃは、メールアドレス数が２つ以上あるという情報とシールＩＤとを受け取ると、当該複数のメールアドレスに対応するユーザのうち撮影画像を各ユーザ専用の記憶領域に保存済でないユーザがいるか否かを判定する（ステップＳ１５７）。判定の詳細については上述したためここでの説明を省略する。保存状態判定部２２４ｃが、当該複数のメールアドレスに対応するユーザのうち撮影画像を各ユーザ専用の記憶領域に保存済でないユーザいると判定した場合（ステップＳ１５７においてＹＥＳの場合）、保存状態判定部２２４ｃは、当該保存済でないユーザに対応するメールアドレスを一時保存部２４１から取得し、会員判定部２２４ｄに出力する。次に、上述した会員別通知メール送信処理（ステップＳ１５３）に移行する。
【０１７７】
また、当該複数のメールアドレスに対応するユーザうち撮影画像を各ユーザ専用の記憶領域に未保存のユーザがいないと判定した場合（ステップＳ１５７においてＮＯの場合）、期限切れ通知処理Ｓ１５ｃは終了する。
【０１７８】
すなわち、本変形例に係る管理サーバ２においては、上記受信部２２１は、撮影画像と対応付けられている異なる複数の上記メールアドレスを受信し、保存状態判定部２２４ｃは、上記撮影画像と対応付けられている異なる複数の上記メールアドレスに対応するそれぞれのユーザの携帯端末３からの指示によって上記撮影画像が各ユーザ専用の記憶領域に保存されたか否かを上記携帯端末３ごとに判定し、上記送信部２２６が上記撮影画像に対して保存を指示していない上記携帯端末３の上記メールアドレス宛てに上記撮影画像の保存状態を通知するメールを送信してもよい。
【０１７９】
上記の構成によれば、保存する指示をしていない携帯端末３のメールアドレス宛てに、撮影画像の保存状態を通知するメールを送信する。すなわち、上記撮影画像において保存を指示していないメールアドレスに対応する携帯端末３（言い換えれば、保存状態を通知するメールの送信が必要なユーザ）に対して、保存状態を通知するメールが送信される。よって、ユーザによる保存忘れの可能性がある携帯端末３のみに通知メールを送信することができる。
【０１８０】
なお、本変形例に係る管理サーバ２において、上記受信部２２１は、撮影画像と対応付けられている異なる複数の上記メールアドレスを受信し、保存状態判定部２２４ｃは、上記撮影画像と対応付けられている異なる複数の上記メールアドレスに対応するそれぞれのユーザによって上記撮影画像が各ユーザ専用の記憶領域に保存されたか否かをユーザごとに判定し、上記送信部２２６は、上記撮影画像を上記ユーザ専用の記憶領域に保存していないユーザに対応するメールアドレス宛てに上記撮影画像の保存状態を通知するメールを送信してもよい。
【０１８１】
（変形例４）
本発明の一変形例について図１６に基づいて説明すれば以下のとおりである。
なお、説明の便宜上、前記実施形態にて説明した部材と同じ機能を有する部材については、同じ符号を付記し、その説明を省略する。
【０１８２】
本変形例は、期限切れ通知処理の一変形例であり、入力メールアドレスのユーザ以外のユーザ（入力メールアドレスを有する携帯端末３）が撮影画像をユーザ専用の記憶領域に保存済の場合、保存忘れ通知メールを送信しない構成である。
【０１８３】
図１６は、期限切れ通知処理Ｓ１５ｄのフローチャートを示す図である。
【０１８４】
図８に示す期限切れ通知処理Ｓ１５と異なる工程について以下に説明する。
【０１８５】
撮影画像が各ユーザ専用の記憶領域に保存済でない場合（ステップＳ１５２においてＮＯの場合）、保存状態判定部２２４ｃは、さらに、入力されたメールアドレス以外のユーザが当該撮影画像を各ユーザ専用の記憶領域に保存済であるか否かを判定する（ステップＳ１５８）。
【０１８６】
入力されたメールアドレス以外のユーザが当該撮影画像を各ユーザ専用の記憶領域に保存済である場合（ステップＳ１５８においてＹＥＳの場合）、期限切れ通知処理Ｓ１５ｄは終了する。また、入力されたメールアドレス以外のユーザが当該撮影画像を各ユーザ専用の記憶領域に保存済でない場合（ステップＳ１５８においてＮＯの場合）、保存状態判定部２２４ｃは、当該シールＩＤに対応するメールアドレスを一時保存部２４１から取得し、会員判定部２２４ｄに出力する。次に、上述した会員別通知メール送信処理（ステップＳ１５３）に移行する。
【０１８７】
すなわち、本発明に係る管理サーバ２においては、保存状態判定部２２４ｃが、さらに、撮影画像と対応付けられているメールアドレスの携帯端末３（メールアドレス宛てのメールを受信する携帯端末３）と異なる他の携帯端末３の指示によって上記撮影画像が各ユーザ専用の記憶領域に保存されたか否かを判定し、保存状態判定部２２４ｃが、上記撮影画像と対応付けられているメールアドレスの携帯端末３と異なる他の携帯端末３の指示によって上記撮影画像が各ユーザ専用の記憶領域に保存されたと判定した場合、送信部２２６がいずれのメールアドレス宛てにも上記撮影画像の保存状態を通知するメールを送信しなくてもよい。
【０１８８】
上記の構成によれば、撮影画像に対応しているメールアドレスのユーザ以外のユーザかが、各ユーザ専用の記憶領域に撮影画像を保存する指示した場合において、保存状態を通知するメールをいずれのユーザにも送信しないことができる。すなわち、すでにいずれかのユーザによってユーザ専用の記憶領域に保存された撮影画像については、撮影画像の保存状態を通知するメールを送信しないので、上記通知メールを必要としないユーザに、上記通知メールを受け取ることによる煩わしさを感じさせずにすむことができる。
【０１８９】
なお、本発明に係る管理サーバ２において、保存状態判定部２２４ｃは、さらに、撮影画像と対応付けられているメールアドレスに対応するユーザと異なる他のユーザによって上記撮影画像が各ユーザ専用の記憶領域に保存されたか否かを判定し、保存状態判定部２２４ｃが、上記撮影画像と対応付けられているメールアドレスに対応するユーザと異なる他のユーザによって上記撮影画像が各ユーザ専用の記憶領域に保存されたと判定した場合、送信部２２６が撮影画像と対応付けられているいずれのメールアドレス宛てにも上記撮影画像の保存状態を通知するメールを送信しなくてもよい。
【０１９０】
（変形例５）
本発明の一変形例について図１７に基づいて説明すれば以下のとおりである。
なお、説明の便宜上、前記実施形態にて説明した部材と同じ機能を有する部材については、同じ符号を付記し、その説明を省略する。
【０１９１】
本変形例は、期限切れ通知処理の一変形例であり、ユーザと一緒にプレイした他のユーザが当該プレイで生成された撮影画像を保存している場合、上記ユーザに対して当該プレイ内で生成された撮影画像についての保存忘れ通知メールを送信しない構成である。
【０１９２】
対のシールＩＤについては、上述したのでここでの説明を省略する。
【０１９３】
図１７は、期限切れ通知処理Ｓ１５ｅのフローチャートを示す図である。
【０１９４】
図８に示す期限切れ通知処理Ｓ１５と異なる工程について以下に説明する。
【０１９５】
撮影画像が各ユーザ専用の記憶領域に保存済でない場合（ステップＳ１５２においてＮＯの場合）、保存状態判定部２２４ｃは、さらに、当該撮影画像を示すシールＩＤと同一プレイの他のシールＩＤが示す撮影画像が各ユーザ専用の記憶領域に保存済であるか否かを判定する（ステップＳ１５９）。なお、同一プレイ内で生成された各シールＩＤは、プレイを特定する情報は同一で、それ以外の情報が異なるため、対になるシールＩＤと表現することもできる。
【０１９６】
上記他のシールＩＤが示す撮影画像が各ユーザ専用の記憶領域に保存済である場合（ステップＳ１５９においてＹＥＳの場合）、期限切れ通知処理Ｓ１５ｅは終了する。また、上記他のシールＩＤに対応する撮影画像が各ユーザ専用の記憶領域に保存済でない場合（ステップＳ１５９においてＮＯの場合）、保存状態判定部２２４ｃは、上記シールＩＤに対応するメールアドレスを一時保存部２４１から取得し、会員判定部２２４ｄに出力する。次に、上述した会員別通知メール送信処理（ステップＳ１５３）に移行する。
【０１９７】
すなわち、本変形例に係る管理サーバ２においては、受信部２２１が撮影画像および当該撮影画像と同一プレイ内で生成された他の撮影画像を受信し、画像一時保存実行部２２２が上記撮影画像および上記他の撮影画像を一時保存部２４１に一時的に保存し、保存状態判定部２２４ｃが、上記他の撮影画像が各ユーザ専用の記憶領域に保存されていると判定した場合に、送信部２２６が上記撮影画像と対応しているメールアドレス宛てに、上記撮影画像の保存状態を通知するメールを送信しなくてもよい。
【０１９８】
上記の構成によれば、同一プレイで生成された他の撮影画像が保存されている場合においては、撮影画像に対応したメールアドレス宛てに通知メールは送信されない。
【０１９９】
ここで、同一プレイ内で生成された各シールＩＤの示す撮影画像は、互いに全てが同一の画像であってもよいし、互いに全て異なる画像であってもよいし、一部が同一の画像であってもよい。
【０２００】
また、同一プレイで生成された他の撮影画像が保存されている場合は、一緒にプレイした他のユーザが当該プレイ内で生成された撮影画像の一部またはすべてを各ユーザ専用の記憶領域に保存していることになる。
【０２０１】
よって、ユーザと一緒にプレイした他のユーザが当該プレイで生成された撮影画像が既に保存されているため、当該プレイで生成された撮影画像の未保存の通知を必要としないユーザに対しての通知メールの送信を防ぐことができる。
【０２０２】
（変形例６）
本発明の一変形例について図１８および図１９に基づいて説明すれば以下のとおりである。なお、説明の便宜上、前記実施形態にて説明した部材と同じ機能を有する部材については、同じ符号を付記し、その説明を省略する。
【０２０３】
本変形例では、図１８に示すように、管理サーバ２が、さらに課金額決定部２２９を備えている。課金額決定部２２９は、ユーザの課金額を決定するものである。
【０２０４】
具体的には、課金額決定部２２９は、ユーザ指示実行部２２７から撮影画像を保存したユーザと、保存した撮影画像の枚数とを示す通知を受けて、ユーザがユーザ専用の記憶領域に保存する撮影画像の枚数に応じて、当該ユーザに対する課金額を決定してもよい。例えば、課金額決定部２２９は、保存する撮影画像の１枚当たりの金額を設定し、各ユーザの課金額を算出してもよい。なお、課金額決定部２２９は、保存情報格納部２４２に格納されている保存情報を参照して、ユーザの課金額を決定してもよい。
【０２０５】
また、課金額決定部２２９は、会員情報格納部２４３に格納されている会員情報を参照して、ユーザの会員の種類に応じて、当該ユーザに対する課金額を決定してもよい。例えば、課金額決定部２２９は、有料会員のユーザに対して、予め定めた金額を、月額の課金額として決定してもよい。
【０２０６】
次に、管理サーバ２による課金額決定処理について図１９に基づいて説明する。図１９は、管理サーバ２が実行する課金額決定処理の一例を示すフローチャートである。
【０２０７】
図１９に示すように、まず、受信部２２１は、携帯端末３から、撮影画像を各ユーザ専用の記憶領域に保存する指示を受信する（Ｓ４１）。ユーザ指示実行部２２７は、受信部２２１が受信した指示に基づいて、撮影画像を各ユーザ専用の記憶領域に保存する（Ｓ４２）。ユーザ指示実行部２２７は、撮影画像を各ユーザ専用の記憶領域に保存すると、撮影画像を保存したユーザと、保存した撮影画像の枚数とを課金額決定部２２９に通知する。そして、課金額決定部２２９は、ユーザ指示実行部２２７からの通知に基づいて、ユーザに対する課金額を決定する（Ｓ４３）。
【０２０８】
なお、Ｓ４２において、ユーザ指示実行部２２７は、撮影画像を各ユーザ専用の記憶領域に保存した後、保存情報を更新して、保存情報を更新したことを課金額決定部２２９に通知してもよい。この場合、Ｓ４３において、課金額決定部２２９は、ユーザ指示実行部２２７から上記通知を受けると、保存情報格納部２４２に格納されている保存情報を参照して、ユーザの課金額を決定してもよい。
【０２０９】
〔まとめ〕
上記の課題を解決するために、本発明に係る管理装置は、コンテンツ提供装置が生成した撮影画像であるコンテンツと、上記コンテンツ提供装置にて入力され上記コンテンツと対応付けられているメールアドレスとを受信する受信部と、上記コンテンツと上記メールアドレスとを対応付けて一時保存部に一時的に保存させる実行部と、上記一時保存部において、上記コンテンツの残存保存期間が所定の期間よりも短いか否かを判定する残存保存期間判定部と、上記コンテンツが、各ユーザ専用の記憶領域に保存されたか否かを判定する保存状態判定部と、上記残存保存期間判定部が、上記コンテンツの残存保存期間が上記所定の期間よりも短いと判定し、かつ、上記保存状態判定部が上記コンテンツが上記各ユーザ専用の記憶領域に保存されていないと判定した場合、上記コンテンツに対応する上記メールアドレス宛てに上記コンテンツの保存状態を通知するメールを送信する送信部とを備えている。
【０２１０】
また、上記の課題を解決するために、本発明に係る管理装置の制御方法は、コンテンツ提供装置が生成した撮影画像であるコンテンツと、上記コンテンツ提供装置にて入力され上記コンテンツと対応付けられているメールアドレスとを受信する受信ステップと、上記コンテンツと上記メールアドレスとを対応付けて一時保存部に一時的に保存させる実行ステップと、上記一時保存部において、上記コンテンツの残存保存期間が所定の期間よりも短いか否かを判定する残存保存期間判定ステップと、上記コンテンツが、各ユーザ専用の記憶領域に保存されたか否かを判定する保存状態判定ステップと、上記残存保存期間判定ステップにおいて、上記コンテンツの残存保存期間が上記所定の期間よりも短いと判定され、かつ、上記保存状態判定ステップにおいて上記コンテンツが上記各ユーザ専用の記憶領域に保存されていないと判定された場合、上記コンテンツに対応する上記メールアドレス宛てに上記コンテンツの保存状態を通知するメールを送信する送信ステップとを含んでいる。
【０２１１】
上記の構成によると、コンテンツの一時保存が終了する時点よりも前に、各ユーザの専用の記憶領域に未保存のコンテンツに対応するメールアドレス宛てにコンテンツの保存状態を通知するメールが送信される。したがって、ユーザは各ユーザ専用の記憶領域に未保存のコンテンツの一時保存部における一時保存期限が迫っていることを認識することができる。よって、ユーザの上記未保存のコンテンツの保存忘れを防止することができる。
【０２１２】
本発明に係る管理装置は、さらに、上記残存保存期間判定部が、上記コンテンツの残存保存期間が上記所定の期間よりも短いと判定し、かつ、上記保存状態判定部が上記コンテンツが上記各ユーザ専用の記憶領域に保存されていると判定した場合、上記送信部が上記コンテンツに対応する上記メールアドレス宛てに上記コンテンツの保存状態を通知するメールを送信しなくてもよい。
【０２１３】
上記の構成によると、すでに保存されているコンテンツにおいて一時保存期限が迫っていても、各ユーザ専用の記憶領域へコンテンツの保存を指示した通信端末に対しては上記通知メールを送信しない。よって、当該保存を指示した上記通知メールを必要としないユーザに、上記通知メールを受け取ることによる煩わしさを感じさせずにすむことができる。
【０２１４】
また、本発明に係る管理装置は、上記受信部は、上記コンテンツと対応付けられている複数の上記メールアドレスを受信し、上記保存状態判定部は、上記コンテンツと対応付けられている複数の上記メールアドレスのうち少なくとも１つに対応するユーザの通信端末の指示によって上記コンテンツが上記各ユーザ専用の記憶領域に保存されたか否かを判定し、上記保存状態判定部が、複数の上記メールアドレスのうち少なくとも１つに対応するユーザの通信端末の指示によって上記コンテンツが上記各ユーザ専用の記憶領域に保存されたと判定した場合、上記送信部がいずれのメールアドレス宛てにも上記コンテンツの保存状態を通知するメールを送信しなくてもよい。
【０２１５】
上記の構成によれば、コンテンツに対応しているメールアドレスに対応する何れか１つに対応するユーザの通信端末が各ユーザ専用の記憶領域にコンテンツの保存を指示した場合において、保存状態を通知するメールをいずれのメールアドレス宛てにも送信しないことができる。すなわち、すでにいずれかのユーザによってユーザ専用の記憶領域に保存されたコンテンツについては、コンテンツの保存状態を通知するメールを送信しない。そのため、上記通知メールを必要としないユーザに、上記通知メールを受け取ることによる煩わしさを感じさせずにすむことができる。
【０２１６】
また、本発明に係る管理装置においては、上記受信部は、上記コンテンツと対応付けられている複数の上記メールアドレスを受信し、上記保存状態判定部は、上記コンテンツと対応付けられている複数の上記メールアドレスに対応するそれぞれのユーザの通信端末からの指示によって上記コンテンツが上記各ユーザ専用の記憶領域に保存されたか否かを上記通信端末ごとに判定し、上記送信部が上記コンテンツに対して保存を指示していない上記通信端末の上記メールアドレス宛てに上記コンテンツの保存状態を通知するメールを送信してもよい。
【０２１７】
上記の構成によれば、保存する指示をしていない通信端末のメールアドレス宛てに、コンテンツの保存状態を通知するメールを送信する。すなわち、上記コンテンツにおいて保存を指示していないメールアドレスに対応するユーザの通信端末（言い換えれば、保存状態を通知するメールの送信が必要なユーザ）に対して、保存状態を通知するメールが送信される。よって、ユーザによる保存忘れの可能性がある通信端末のみに通知メールを送信することができる。
【０２１８】
また、本発明に係る管理装置においては、上記保存状態判定部が、さらに、上記コンテンツと対応付けられているメールアドレスの通信端末と異なる他の通信端末の指示によって上記コンテンツが上記各ユーザ専用の記憶領域に保存されたか否かを判定し、上記保存状態判定部が、上記コンテンツと対応付けられているメールアドレスの通信端末と異なる他の通信端末の指示によって上記コンテンツが上記各ユーザ専用の記憶領域に保存されたと判定した場合、上記送信部が上記メールアドレス宛てに上記コンテンツの保存状態を通知するメールを送信しなくてもよい。
【０２１９】
上記の構成によれば、コンテンツに対応しているメールアドレスに対応するユーザ以外のユーザが、各ユーザ専用の記憶領域にコンテンツを保存する指示をした場合において、保存状態を通知するメールをいずれのユーザにも送信しないことができる。すなわち、すでにいずれかの通信端末によってユーザ専用の記憶領域に保存されたコンテンツについては、コンテンツの保存状態を通知するメールをいっさい送信しない。よって、上記通知メールを必要としないユーザに、上記通知メールを受け取ることによる煩わしさを感じさせずにすむことができる。
【０２２０】
また、本発明に係る管理装置においては、上記受信部が上記コンテンツおよび当該コンテンツと同一プレイ内で生成された他のコンテンツを受信し、上記実行部が上記コンテンツおよび上記他のコンテンツを上記一時保存部に一時的に保存し、上記保存状態判定部が、上記他のコンテンツが上記各ユーザ専用の記憶領域に保存されていると判定した場合に、上記送信部が上記コンテンツと対応しているメールアドレス宛てに、上記コンテンツの保存状態を通知するメールを送信しなくてもよい。
【０２２１】
上記の構成によれば、上記送信部は、コンテンツと同一プレイ内で生成された他のコンテンツが保存されている場合に、上記コンテンツに対応したメールアドレス宛てに通知メールを送信しない。
【０２２２】
同一プレイで生成された他の撮影画像が保存されている場合は、一緒にプレイした他のユーザが当該プレイ内で生成された撮影画像の一部またはすべてを各ユーザ専用の記憶領域に保存していることになる。
【０２２３】
よって、ユーザと一緒にプレイした他のユーザが当該プレイで生成された撮影画像が既に保存されているため、当該プレイで生成された撮影画像の未保存の通知を必要としないユーザに対しての通知メールの送信を防ぐことができる。
【０２２４】
本発明に係る管理装置は、上記一時保存部に一時保存されている上記コンテンツを上記各ユーザ専用の記憶領域に保存する指示を外部機器から受け付けて、上記一時保存部に一時保存されている上記コンテンツを上記各ユーザ専用の記憶領域に保存するユーザ指示実行部をさらに備えていてもよい。
【０２２５】
上記の構成によれば、上記管理装置は各ユーザ専用の記憶領域にコンテンツを保存する指示を外部機器から受け付けて、コンテンツを各ユーザ専用の記憶領域に保存することができる。
【０２２６】
本発明に係る管理装置において、上記送信部は、上記メールアドレスに対応するユーザの会員の種類に応じて、異なるメールを送信してもよい。
【０２２７】
上記の構成によれば、上記送信部は、会員の種類毎に、会員の種類に適したメールを送信することができる。
【０２２８】
本発明に係る管理装置において、上記会員の種類は、有料会員、無料会員および非会員を含んでいてもよい。
【０２２９】
上記の構成によれば、上記送信部は、有料会員、無料会員および非会員に対して、それぞれ、会員の種類に適したメールを送信することができる。
【０２３０】
本発明に係る管理装置において、上記送信部は、上記ユーザの会員の種類が非会員である場合、会員に誘導するメールを送信し、上記ユーザの会員の種類が無料会員である場合、有料会員に誘導するメールを送信してもよい。
【０２３１】
上記の構成によれば、上記送信部は、非会員に対して、会員に誘導するメールを送信し、無料会員に対して、有料会員に誘導するメールを送信する。そのため、管理装置は、会員および有料会員の増加を図ることができる。
【０２３２】
本発明に係る管理装置は、ユーザが上記各ユーザ専用の記憶領域に保存する撮影画像の枚数に応じて、当該ユーザに対する課金額を決定する課金額決定部をさらに備えてもよい。
【０２３３】
上記の構成によれば、上記課金額決定部は、上記ユーザ専用の記憶領域に保存した撮影画像の枚数に応じて、ユーザの課金額を決定することができる。
【０２３４】
本発明に係るメール送信システムは上記管理装置と、コンテンツ提供装置と、通信端末とを備えていてもよい。
【０２３５】
上記の構成によれば、コンテンツ提供装置にてコンテンツに対応するメールアドレスが入力され、上記管理装置にて上記コンテンツを一時的に保存し、一時保存の期限が迫っているコンテンツにおいて、上記コンテンツに対応するメールアドレスを有する通信端末に上記コンテンツの保存状態を通知することができる。
【０２３６】
本発明に係るメール送信システムは、さらに、上記コンテンツ提供装置は、被写体を撮影し、写真シールを作成する写真シール作成装置であり、上記コンテンツは、被写体を撮影した撮影画像である。
【０２３７】
上記の構成によれば、写真シール作成装置は、ユーザに対して撮影画像を提供するので、ユーザが上記撮影画像を保存する流れの中で、撮影画像の保存忘れを防止することができる。
【０２３８】
本発明の各態様に係る管理装置は、コンピュータによって実現してもよく、この場合には、コンピュータを上記管理装置が備える各手段として動作させることにより上記管理装置をコンピュータにて実現させる管理装置の制御プログラム、およびそれを記録したコンピュータ読み取り可能な記録媒体も、本発明の範疇に入る。
【０２３９】
〔ソフトウェアによる実現例〕
管理サーバ２の制御ブロック（特に判定部２２４）は、集積回路（ＩＣチップ）等に形成された論理回路（ハードウェア）によって実現してもよいし、ＣＰＵ（Central Processing Unit）を用いてソフトウェアによって実現してもよい。
【０２４０】
後者の場合、管理サーバ２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【産業上の利用可能性】
【０２４１】
本発明は、写真シール作成装置がユーザを撮影して生成した画像を、当該ユーザのメールアドレスと対応付けて管理する管理サーバに幅広く利用できる。
【符号の説明】
【０２４２】
１        メール送信システム
２        管理サーバ（管理装置）
３        携帯端末（通信端末）
４        写真シール作成装置（コンテンツ提供装置）
２２１    受信部（受信手段）
２２２    画像一時保存実行部（実行部、実行手段）
２２４ａ  残存保存期間判定部（残存保存期間判定手段）
２２４ｃ  保存状態判定部（保存状態判定手段）
２２６    送信部（送信手段）
２２７    ユーザ指示実行部（ユーザ指示実行手段）
２４１    一時保存部
Ｓ１１    受信ステップ
Ｓ１３    実行ステップ
Ｓ１５１  残存保存期間判定ステップ
Ｓ１５２  保存状態判定ステップ
Ｓ１５３  送信ステップ
【図１】
2015111403.tif 000003
【図２】
2015111403.tif 000004
【図３】
2015111403.tif 000005
【図４】
2015111403.tif 000006
【図５】
2015111403.tif 000007
【図６】
2015111403.tif 000008
【図７】
2015111403.tif 000009
【図８】
2015111403.tif 000010
【図９】
2015111403.tif 000011
【図１０】
2015111403.tif 000012
【図１１】
2015111403.tif 000013
【図１２】
2015111403.tif 000014
【図１３】
2015111403.tif 000015
【図１４】
2015111403.tif 000016
【図１５】
2015111403.tif 000017
【図１６】
2015111403.tif 000018
【図１７】
2015111403.tif 000019
【図１８】
2015111403.tif 000020
【図１９】
2015111403.tif 000021